(57)【要約】【課題】  段積みしたロールペーパー等の衛生用品を腕に通して楽に安全に運べる包装袋を提供する。【解決手段】  ガゼット折りした包装袋１の上部に形成させた取っ手部５に、間隔をあけて縦方向に２条の切込線９、９を設ける。または、ガゼット折りした包装袋１の上部を平行に接合して取っ手部の片面の上辺と下辺に平行に接合された腕通し用補強シート１０を設ける。  購入者が包装袋１を持ち運ぶときに、取っ手部５の切込線９、９に沿って取っ手部５の中央部分を細帯状に分離された左右の取っ手部５ａ、５ｂに購入者の下腕又は数本の指を通し、或いは取っ手部と腕通し用補強シート１０との間に腕を通すことにより、嵩、重量の大きな段積みロール等の包装袋を安全に運ぶことができる。【選択図】      図３
0003115621.tif 000002
【実用新案登録請求の範囲】
【請求項１】
ガゼット折りした包装袋の上部を平行に接合して取っ手部を形成し、該取っ手部におけるガゼット折りの左右内側折返線に間隔を置いて前記包装袋の前後面と左右折返部とに共通する、縦方向に２条の切込線を設けたことを特徴とする家庭用衛生用品の包装袋。
【請求項２】
ガゼット折りした包装袋の上部を平行にシールして取っ手部を形成し、該取っ手部の前または後面の上辺と下辺とに平行に接合された腕通し用補強シートを設けたことを特徴とする家庭用衛生用品の包装袋。
【請求項３】
取っ手部におけるガゼット折りの左右内側折返線近傍で、前記包装袋の前後面と前記補強シートとに共通する縦方向に２条の切込線を設けた請求項２に記載の家庭用衛生用品の包装袋。
【請求項４】
前記取っ手部に指掛け用の横長穴を設けたことを特徴とする請求項１から３項の何れか１に記載の家庭用衛生用品の包装袋。
【請求項５】
前記取っ手部に指掛け用の複数個の丸穴または切欠き丸穴を設けたことを特徴とする請求項１から３項の何れか１に記載の家庭用衛生用品の包装袋。
【考案の詳細な説明】
【技術分野】
【０００１】
本考案は、ロール状ティシュペーパー、キッチンペーパーロール、タオルペーパーロール、クッキングシートなどのロール状薄葉紙やラップフィルム、アルミホイルなどの巻き取りロールを段積みした包装袋やボックスティッシュ、おむつ等の包装品の取っ手部を改良して持ち運びを容易にした家庭用衛生用品の包装袋に関する。
【背景技術】
【０００２】
トイレットペーパー、ペーパータオルなどのロール紙を段積みしてポリエチレンフィルム等で包装した包装袋は、購入後、店頭から持ち帰るときに、包装袋上部の取っ手部にあけた長円形の指掛穴に数本の指を設けて運ぶが、かなり重くなって手指を傷つけることがある。このため包装袋上部の取っ手部のほぼ中央に間隔をあけて２つの指掛穴を設けたり、一部切り残し形の指通し穴を形成させたりしたもの（例えば特許文献１）や、持手部に補強フィルムを適用したうえ２つの指掛穴を設けたものが知られている（例えば特許文献２）。また、取っ手部に横長又は弧状のスリットを設けて複数本の指を挿通できるようにしたものも知られている（例えば特許文献３）。
【特許文献１】登録実用新案公報第３０１６７２５号（第６頁９〜１７行、図１）
【特許文献２】特開平２００５−８２４８号（第４頁１５〜２１行、図４）
【特許文献３】特開平２００５−１６６９号（第３頁４５行〜第４頁１４行、図１、４）
【考案の開示】
【考案が解決しようとする課題】
【０００３】
上記のように、例えばロール状トイレットペーパーを１段４個３段重ねの包装袋は約１．５ｋｇ重量を有するため、長時間取っ手部の穴に指を掛けておくと、指が痛くなって持ち運びが困難となる。
そして、手がふさがっているときに（例えば傘をさしているとき）は、腕に通して、楽に持運びしたいというユーザーの要求がある。
このような問題は、トイレットペーパーに限らず、タオルペーパーロール、クッキングシートなどのロール紙やラップフィルム、アルミホイルなどの巻き取りロールを段積みした包装袋や複数のボックスティッシュ、おむつ等の包装品にも同様な問題を抱えているため、持ちやすい取っ手部を具えた包装袋の出現が望まれている。本考案は、比較的重量のあるロールペーパー包装袋等を腕に通して安全に運べる包装袋を提供することを課題とする。
【課題を解決するための手段】
【０００４】
上記課題を達成するため、本考案の請求項１は、ガゼット折りした包装袋の上部を平行に接合して取っ手部を形成し、該取っ手部におけるガゼット折りの左右内側折返線に間隔を置いて前記包装袋の前後面と左右折返部近傍とに共通する縦方向に２条の切込線を設けたことを特徴とする包装袋である。請求項２の考案は、ガゼット折りした包装袋の上部を平行にシールして取っ手部を形成し、該取っ手部の前または後面の上辺と下辺とに平行に接合された腕通し用補強シートを設けたことを特徴とする包装袋である。請求項３の考案は、さらに取っ手部におけるガゼット折りの左右内側折返線近傍で、前記包装袋の前後面と前記補強シートとに共通する縦方向に２条の切込線を設けた包装袋である。請求項４は、前記取っ手部に指掛け用の横長穴を設けたことを特徴とし、請求項５は、前記取っ手部に指掛け用の複数個の丸穴または切欠き丸穴を設けたことを特徴とする。
なお本明細書でいう「切込線」とは、従来から包装袋の開封用に用いられているミシン目やジッパーなどの手指の力で容易に切開可能な破断線を意味している。
【考案の効果】
【０００５】
請求項１の考案によれば、前記包装袋を持ち運ぶときに、前記ガゼット折りの左右折返部を含む取っ手部中央部分を前記切込線に沿って細帯状に切り開いたのち、切り開かれた細帯状を除く包装袋の前後面とガゼット折り側面とで２枚重ねとされた左右の取っ手部を側方から開いて購入者の腕又は数本の指を通して持ち運ぶことができる。また、取っ手部表面のほぼ中央に補強シートを設けた請求項２の考案や請求項３の考案の場合は、包装袋の取っ手部と補強シートとの間を側方から開いたうえ、購入者の腕又は数本の指を通し、またはガゼット折り包装袋の取っ手部中央と補強シートに形成させた切込線に沿って切開いて形成した細帯片を袋体の一方に垂れ下げ、又は取り去ることによって形成された２枚重ねの左右の取っ手部に下腕ないし手指を通すことよって安全に運搬することが可能である。
【考案を実施するための最良の形態】
【０００６】
図１は本考案の包装袋の一実施態様を示す斜視図、図２は図１のＡ―Ａ線における断面図である。
筒状フィルムの左右折返部３ａ、３ｂをガゼット折りした透明または半透明の包装袋１の上部を、シール部７ａ、７ｂで平行に接合して取っ手部５を形成する。該取っ手部５におけるガゼット折りの内側折返線４、４の近傍に間隔を置いて透明袋１の前後面２ａ、２ｂと左右折返部３ａ、３ｂとの４枚重ね部分（図２）に縦方向２条の切込線９、９を設ける。
主にトイレ用ロールペーパーやキッチンペーパー等は通常、１段４個あるいは６個としてこれを２段あるいは３段積みして包装袋１内に収納して袋底１１をシール部８で閉じ封止した後、小売店に輸送され展示販売に供されることが多い。小売店で購入後は、取っ手部５を直接把持することもできるが、滑りやすく嵩、重量も大きいため運びにくい。このため、本実施態様では、購入者がロール包装袋１を持ち運ぶときに、取っ手部５の切込線９、９に沿って取っ手部５の中央部分を細帯状に切り開き、切り開いた折返片１５は包装袋１の前または後面に垂れ下げたうえ、折返片１５で分離された左右の取っ手部５、５に下腕又は数本の指を通し、或いは分離された左右の取っ手部５に指を通して持ち運ぶ。
【０００７】
上記のように、ロール包装品は嵩、重量も大きいため手で持つときに指が痛くなり持運びし難い。そこで、本考案は袋体の長手方向側面をガゼット折りし、取っ手部５の上下をシール等により接合することにより、ガゼット折り端部を含む折返片を除くによって取っ手部を左右に分離可能としており、この二重（２枚重ねの左右の取っ手部５ａ，５ｂ）の取っ手部５、５に下腕を通し（図３）、或いは二重把持部６、６を結束して（図４）手指を通して運ぶこともできるため、重量のかさむロールペーパー等の包装袋を安全に運ぶことができる。
【０００８】
図５は第２実施形態を示す斜視図、図６は図５のＢ―Ｂ線における断面図である。この実施形態は取っ手部５の片面に補強シート１０を付設したものである。すなわち、包装袋１のガゼット折りの左右折返線４、４を含む取っ手部５の片面所定位置で、取っ手部の前または後面の上辺と下辺の平行シール（平行接合部）７ａ、７ｂ間に腕通し用補強シート１０を設ける。必要に応じて、さらにガゼット折りの左右折返線４、４の近傍と、袋１の前後面２ａ、２ｂと前記補強シート１０とに共通する縦方向２条の切込線９、９を設ける。
この包装袋を持ち運ぶときに、
（イ）包装袋の取っ手部と補強シート１０との間を、側方から開いたうえ購入者の腕又は数本の指を通し、または
（ロ）前記２条の切込線９、９に沿って前記補強シート１０と取っ手部５中央を細帯状に切り開いて、折返片１５を袋体の前又は後面に垂れ下げ又は取り除いて（図３の場合と同様に）、前記補強シート付取っ手部を左右に分離することにより、細帯状の折返片１５を除く包装袋の前後面とガゼット折り側面と補強シート１０により３枚重ねとされた左右の取っ手部５を、側方から開いたうえ購入者の腕を通して持ち運ぶようする。  
【０００９】
包装袋１はインフレーションチューブをガゼット折りしたものに限らず、シートフィルムを筒状に接着して両側面をガゼット折としてもよい。図７はその場合のシートフィルム１２の展開図を示す。すなわち、シートフィルムを筒状に接着し、側面端をヒートシールして筒状にしたうえ、左右側面１３、１４の長手方向に折り線１５をつけてガゼット折りし、上部に平行シール（平行接合部）７ａ、７ｂを設けて取っ手部を形成させると共に下部袋底をヒートシールする。なお図中斜線で囲んだ領域は印刷領域である。
【００１０】
図８は図５に示す包装袋の使用状態の斜視図で、（ａ）は補強シート１０と取っ手部５との間に腕を通して持ち運ぶ状態を示し、（ｂ）は補強シート１０と取っ手部中央とを縦方向の切込線９、９に沿い細帯状に切り開き折返したうえ、左右の２枚重ね取っ手部５ａ、５ｂに腕を通して持ち運ぶ状態を示す。包装袋１を持ち運ぶときに、切込線９，９に沿って細帯状に切り開いた折返片を袋体の一方に垂れ下げるが、持ち運ぶ時の邪魔にならない。図９は取っ手部に補強シート１０を設けた包装袋を段積みしたボックスティシュやおむつ２１の包装袋に適用した第３実施形態を示す斜視図である。
【００１１】
図１０は第４実施形態を示すもので、（ａ）は取っ手部５に縦方向の切込線９と直交する方向に横長の指掛け穴をあけた状態の正面図、（ｂ）は取っ手部に縦方向の切込線４、４と直交する方向の上下に横長の指掛け穴１４、１４をあけた状態の正面図である。指掛け穴１４は横長穴の一方の長辺にミシン目１４ａを設けて指掛け時に長穴部分を切り取れるようにしてもよい。図１０（ｂ）は取っ手部５に縦方向の切込線４、４と直交する方向の上下２段に横長穴１４、１４を設け、使用時に穴１４、１４間の折畳線１６に沿って取っ手部５を折り畳んで指掛け部を２重にすることにより指掛け時の手指にかかる負担を軽減する。
【００１２】
図１１は第５実施形態を示すもので、図１１（ａ）では取っ手部６の一方の補強シート１０を含む表面に、縦方向の２条の切込線９、９より離れた位置に指掛け丸穴１４ｂ、１４ｂを設けもの、図１１（ｂ）は同じく切欠き丸穴１４ｃ、１４ｃを設けた場合を示す。これらのものは、持ち運び時に、切込線９、９から細帯状に切り取らずに、複数の指掛け穴に指を通して運ぶものである。
【００１３】
上記のように、本実施態様によれば、取っ手部に設けた切込線に沿って切開いたのち、前記補強シート付取っ手部を左右に分離することにより、細帯状の折返片１５を除く包装袋の前後面とガゼット折り側面と補強シート１０により３枚重ねとされた左右の取っ手部５を、側方から開いて購入者の腕又は数本の指を通して持ち運ぶことが可能である。
【図面の簡単な説明】
【００１４】
【図１】本考案の家庭用衛生用品の包装袋における第１実施形態の斜視図。
【図２】図１のＡ―Ａ線における断面図。
【図３】包装袋の取っ手部に腕を通して持ち運ぶ状態を示す斜視図。
【図４】別の使用状態を示す斜視図。
【図５】取っ手部に腕通し用補強シートを設けた第２実施形態を示す斜視図。
【図６】図５のＢ―Ｂ線における断面図。
【図７】図５に示す包装袋のフィルムシートの展開図。
【図８】図５に示す包装袋の使用状態を示すもので、（ａ）は補強シートと取っ手部との間に腕を通して持ち運ぶ状態、（ｂ）は補強シートと取っ手部中央を細帯状に切り開いて、左右の取っ手部に腕を通して持ち運ぶ状態の    斜視図。
【図９】ボックスティシュやおむつ包装袋の取っ手部に補強シートを設けた第３実施形態を示す斜視図。
【図１０】第４実施形態を示すもので、（ａ）は取っ手部に縦方向の切込線目と直交する方向に横長穴をあけた状態の正面図、（ｂ）は取っ手部に縦方向の切込線と直交する方向の上下２段に横長穴をあけた状態の正面図。
【図１１】第５実施形態を示すもので、（ａ）は取っ手部に複数の丸穴をあけた状態の正面図、（ｂ）は取っ手部に複数の切欠き丸穴をあけた状態の正面図。
【符号の説明】
【００１５】
１  ロールペーパー用包装袋      ２ａ、２ｂ  包装袋の前後面
３ａ、３ｂ  左右折返部          ４  左右内側折返線
５、６  取っ手部                ５ａ、５ｂ  左右の取っ手部
７ａ、７ｂ、８  平行シール部（平行接合部）
９  切込線
１０  腕通し用補強シート        １１  袋底
１２  シートフィルム            １４  指掛け用長穴
１４ａ  ミシン目                １４ｂ、１４ｃ  指掛け長穴
１５  折返片                    １６  折畳線
２０  ロールペーパー            ２１  ボックスティシュやおむつ
【図１】
0003115621.tif 000003
【図２】
0003115621.tif 000004
【図３】
0003115621.tif 000005
【図４】
0003115621.tif 000006
【図５】
0003115621.tif 000007
【図６】
0003115621.tif 000008
【図７】
0003115621.tif 000009
【図８】
0003115621.tif 000010
【図９】
0003115621.tif 000011
【図１０】
0003115621.tif 000012
【図１１】
0003115621.tif 000013